(57)【要約】  【課題】  自動検針等でメータ端末とセンター装置間のデータ通信行う無線データ収集システムにおいて通信の消費電力を低減させる。  【解決手段】  公衆回線網３に接続されたセンター装置２と、網制御手段４と網制御手段４に接続された通信処理部５と、メータなどの端末と有線または無線で接続するメータインタフェース部７と、メータインタフェース部７からの起動によりセンター装置２とデータ通信動作を行う発呼処理手段６ａとセンター装置２からの起動によりセンター装置２とデータ通信動作を行うポーリング処理手段６ｂと無線受信部４ｂを動作状態にし受信キャリアの有無を検出するキャリアセンス動作の動作指示を行うキャリアセンス指示手段６ｃと発呼処理手段６ａ動作後からキャリアセンス指示手段６ｃの動作時間を決定する第１のタイマー手段６ｄを備えた制御部６とから構成する。【選択図】  図１
2005079808.tif 000002
【特許請求の範囲】
【請求項１】
公衆回線網と、前記公衆回線網に接続されたセンター装置と、無線で接続され無線送信部と無線受信部を備えた網制御手段と、前記網制御手段に接続され通信データの変調を行う変調部と復調を行う復調部を備えた通信処理部と、メータなどの端末と有線または無線で接続するメータインタフェース部と、前記メータインタフェース部からの起動により前記センター装置とデータ通信動作を行う発呼処理手段と前記センター装置からの起動により前記センター装置とデータ通信動作を行うポーリング処理手段と前記無線受信部を動作状態にし受信キャリアの有無を検出するキャリアセンス動作の動作指示を行うキャリアセンス指示手段と前記発呼処理手段動作後から前記キャリアセンス指示手段の動作時間を決定する第１のタイマー手段を備えた制御部とから構成される無線データ収集システム。
【請求項２】
公衆回線網と、前記公衆回線網に接続されたセンター装置と、無線で接続され無線送信部と無線受信部を備えた網制御手段と、前記網制御手段に接続され通信データの変調を行う変調部と復調を行う復調部を備えた通信処理部と、メータなどの端末と有線または無線で接続するメータインタフェース部と、前記メータインタフェース部からの緊急起動により前記センター装置とデータ通信動作を行う緊急発呼処理手段と前記センター装置からの起動により前記センター装置とデータ通信動作を行うポーリング処理手段と前記無線受信部を動作状態にし受信キャリアの有無を検出するキャリアセンス動作の動作指示を行うキャリアセンス指示手段と前記発呼処理手段動作後から前記キャリアセンス指示手段の動作時間を決定する第２のタイマー手段を備えた制御部とから構成される無線データ収集システム。
【請求項３】
公衆回線網と、前記公衆回線網に接続されたセンター装置と、無線で接続され無線送信部と無線受信部を備えた網制御手段と、前記網制御手段に接続され通信データの変調を行う変調部と復調を行う復調部を備えた通信処理部と、メータなどの端末と有線または無線で接続するメータインタフェース部と、前記メータインタフェース部からの起動により前記センター装置とデータ通信動作を行う発呼処理手段と前記センター装置からの起動により前記センター装置とデータ通信動作を行うポーリング処理手段と前記無線受信部を動作状態にし受信キャリアの有無を検出するキャリアセンス動作の動作指示を行うキャリアセンス指示手段と前記キャリアセンス指示手段の動作時間を定期的に決定する第３のタイマー手段を備えた制御部とから構成される無線データ収集システム。
【請求項４】
公衆回線網と、前記公衆回線網に接続されたセンター装置と、無線で接続され無線送信部と無線受信部を備えた網制御手段と、前記網制御手段に接続され通信データの変調を行う変調部と復調を行う復調部を備えた通信処理部と、メータなどの端末と有線または無線で接続するメータインタフェース部と、前記メータインタフェース部からの起動により前記センター装置とデータ通信動作を行う発呼処理手段と前記センター装置からの起動により前記センター装置とデータ通信動作を行うポーリング処理手段と前記無線受信部を動作状態にし受信キャリアの有無を検出するキャリアセンス動作の動作指示を行うキャリアセンス指示手段と設置時の動作を検出する開始検出手段と前記開始検出手段の動作により前記キャリアセンス指示手段の動作時間を決定する第４のタイマー手段を備えた制御部とから構成される無線データ収集システム。
【請求項５】
公衆回線網と、前記公衆回線網に接続されたセンター装置と、無線で接続され無線送信部と無線受信部を備えた網制御手段と、前記網制御手段に接続され通信データの変調を行う変調部と復調を行う復調部を備えた通信処理部と、メータなどの端末と有線または無線で接続するメータインタフェース部と、前記メータインタフェース部からの起動により前記センター装置とデータ通信動作を行う発呼処理手段と前記センター装置からの起動により前記センター装置とデータ通信動作を行うポーリング処理手段と前記無線受信部を動作状態にし受信キャリアの有無を検出するキャリアセンス動作の動作指示を行うキャリアセンス指示手段と前記キャリアセンス指示手段の動作時間を決定するセンター装置から値が設定可能な第５のタイマー手段を備えた制御部とから構成される無線データ収集システム。
【請求項６】
公衆回線網と、前記公衆回線網に接続されたセンター装置と、無線で接続され無線送信部と無線受信部を備えた網制御手段と、前記網制御手段に接続され通信データの変調を行う変調部と復調を行う復調部を備えた通信処理部と、メータなどの端末と有線または無線で接続するメータインタフェース部と、前記メータインタフェース部からの起動により前記センター装置とデータ通信動作を行う発呼処理手段と前記センター装置からの起動により前記センター装置とデータ通信動作を行うポーリング処理手段と前記無線受信部を動作状態にし受信キャリアの有無を検出するキャリアセンス動作の動作指示を行うキャリアセンス指示手段と前記キャリアセンス指示手段の動作時間を決定するメータインターフェース部から値が設定可能な第６のタイマー手段を備えた制御部とから構成される無線データ収集システム。
【発明の詳細な説明】
【技術分野】
【０００１】
本発明は主に自動検針等でメータ端末とセンター装置間のデータ通信を少ない電力で行う無線データ収集システムに関するものである。
【背景技術】
【０００２】
従来の無線データ収集システムは、相手の無線局からの送信が無いか、また、無線送信時には送信するチャンネルに他の無線局の電波が無いかを常時キャリアセンスして監視しており、待ち受け時にキャリアが検出されれば自局宛てかどうかを確認しデータの受信動作を行う。また、送信時にもキャリアセンスを行い他局からの送信がなければデータの送信動作を行うように動作する。また、接続されたメータ等からの発呼指示を受けた場合に、予め設定されていた電話番号をダイヤルしセンターと接続しデータ通信を行うように構成されている（例えば、特許文献１参照）。
【０００３】
図７に従来の無線データ収集システムを示す。１は無線データ収集システム本体であり公衆回線網３と無線で接続され、公衆回線網３にはセンター装置２が接続される。無線データ収集システム本体１には無線の送信を行う無線送信部４ａと無線の受信を行う無線受信部４ｂを備えた網制御手段４と、網制御手段４に接続され通信データの変調を行う変調部５ａと無線の復調を行う復調部５ｂを備えた通信処理部５と、図示はしないがガスメータやセンサーなどの端末と有線または無線で接続するメータインタフェース部７と、メータインタフェース部７からの起動によりダイヤリングなどの回線接続動作を行いセンター装置２とデータ通信動作を行う発呼処理手段６ａとセンター装置２からの起動によりセンター装置２とデータ通信動作を行うポーリング処理手段６ｂとを備えた制御部６とから構成されている。また、無線受信部４ｂは常に受信状態であったり、数秒間隔のキャリアセンスを繰り返し行なうように構成されていた。
【特許文献１】特開平１１−８２７２６号公報
【発明の開示】
【発明が解決しようとする課題】
【０００４】
しかしながら、前記従来のような無線データ収集システムでは、常時キャリアセンスを行っているため、本来のデータ通信に消費する電力よりキャリアセンスのために消費する電力が大きくなるなど消費電力が膨大になっていた。
【０００５】
本発明は、前記従来の課題を解決するもので、電源の消費電流量を低減するとともに電池電源で使用可能な無線データ収集システムを提供することを目的とする。
【課題を解決するための手段】
【０００６】
前記従来の課題を解決するために、本発明の無線データ収集システムは通常時にはキャリアセンスを行わず端末からの発呼でデータ通信を行うように構成し、センターからのポーリングが必要となる確率の高いタイミングでキャリアセンス動作を行うように構成したものである。この本発明によれば、電源の消費電流量を低減させることが可能となる。
【発明の効果】
【０００７】
以上のように、本発明によれば、常時無線受信部が動作していないため消費電流を大幅に削減でき、コスト低下や、製品の小型化を実現することが可能となる。
【発明を実施するための最良の形態】
【０００８】
請求項１に記載の発明は、公衆回線網と無線で接続され無線送信部と無線受信部を備えた網制御手段と前記網制御手段に接続され通信データの変調を行う変調部と復調を行う復調部を備えた通信処理部と、メータなどの端末と有線または無線で接続するメータインタフェース部と、前記メータインタフェース部からの起動によりセンター装置とデータ通信動作を行う発呼処理手段とセンター装置からの起動によりセンター装置とデータ通信動作を行うポーリング処理手段と前記受信部を動作状態にし受信キャリアの有無を検出するキャリアセンス動作の動作指示を行うキャリアセンス指示手段と前記発呼処理手段動作後から前記キャリアセンス指示手段の動作時間を決定する第１のタイマー手段を備えた制御部とから構成することにより、少ない消費電力で端末発呼後にセンター装置からのセンターポーリングが可能にすることが可能となる。
【０００９】
請求項２に記載の発明は、公衆回線網と無線で接続され無線送信部と無線受信部を備えた網制御手段と前記網制御手段に接続され通信データの変調を行う変調部と復調を行う復調部を備えた通信処理部と、メータなどの端末と有線または無線で接続するメータインタフェース部と、前記メータインタフェース部からの緊急起動によりセンター装置とデータ通信動作を行う緊急発呼処理手段とセンター装置からの起動によりセンター装置とデータ通信動作を行うポーリング処理手段と前記受信部を動作状態にし受信キャリアの有無を検出するキャリアセンス動作の動作指示を行うキャリアセンス指示手段と前記発呼処理手段動作後から前記キャリアセンス指示手段の動作時間を決定する第２のタイマー手段を備えた制御部とから構成することにより、少ない消費電力で緊急通報などがセンターに届いた後センター装置からのセンターポーリングが可能にすることが可能となる。
【００１０】
請求項３に記載の発明は、公衆回線網と無線で接続され無線送信部と無線受信部を備えた網制御手段と前記網制御手段に接続され通信データの変調を行う変調部と復調を行う復調部を備えた通信処理部と、メータなどの端末と有線または無線で接続するメータインタフェース部と、前記メータインタフェース部からの起動によりセンター装置とデータ通信動作を行う発呼処理手段とセンター装置からの起動によりセンター装置とデータ通信動作を行うポーリング処理手段と前記受信部を動作状態にし受信キャリアの有無を検出するキャリアセンス動作の動作指示を行うキャリアセンス指示手段と前記キャリアセンス指示手段の動作時間を定期的に決定する第３のタイマー手段を備えた制御部とから構成することにより、少ない消費電力でセンター装置からのセンターポーリングを行うことが可能となる。
【００１１】
請求項４に記載の発明は、公衆回線網と無線で接続され無線送信部と無線受信部を備えた網制御手段と前記網制御手段に接続され通信データの変調を行う変調部と復調を行う復調部を備えた通信処理部と、メータなどの端末と有線または無線で接続するメータインタフェース部と、前記メータインタフェース部からの起動によりセンター装置とデータ通信動作を行う発呼処理手段とセンター装置からの起動によりセンター装置とデータ通信動作を行うポーリング処理手段と前記受信部を動作状態にし受信キャリアの有無を検出するキャリアセンス動作の動作指示を行うキャリアセンス指示手段と設置時の動作を検出する開始検出手段と前記開始検出手段の動作により前記キャリアセンス指示手段の動作時間を決定する第４のタイマー手段を備えた制御部とから構成することにより、少ない消費電力で設置後一定時間センターからのセンターポーリングを行うことが可能となる。
【００１２】
請求項５に記載の発明は、公衆回線網と無線で接続され無線送信部と無線受信部を備えた網制御手段と前記網制御手段に接続され通信データの変調を行う変調部と復調を行う復調部を備えた通信処理部と、メータなどの端末と有線または無線で接続するメータインタフェース部と、前記メータインタフェース部からの起動によりセンター装置とデータ通信動作を行う発呼処理手段とセンター装置からの起動によりセンター装置とデータ通信動作を行うポーリング処理手段と前記受信部を動作状態にし受信キャリアの有無を検出するキャリアセンス動作の動作指示を行うキャリアセンス指示手段と前記キャリアセンス指示手段の動作時間を決定するセンター装置から値が設定可能な第５のタイマー手段を備えた制御部とから構成することにより、少ない消費電力でセンター装置からのセンターポーリングを行うことが可能となる。
【００１３】
請求項６に記載の発明は、公衆回線網と無線で接続され無線送信部と無線受信部を備えた網制御手段と前記網制御手段に接続され通信データの変調を行う変調部と復調を行う復調部を備えた通信処理部と、メータなどの端末と有線または無線で接続するメータインタフェース部と、前記メータインタフェース部からの起動によりセンター装置とデータ通信動作を行う発呼処理手段とセンター装置からの起動によりセンター装置とデータ通信動作を行うポーリング処理手段と前記受信部を動作状態にし受信キャリアの有無を検出するキャリアセンス動作の動作指示を行うキャリアセンス指示手段と前記キャリアセンス指示手段の動作時間を決定するメータインターフェース部から値が設定可能な第６のタイマー手段を備えた制御部とから構成することにより、少ない消費電力でセンターポーリングが行える時間を選択することが可能となる。
【実施例】
【００１４】
以下、本発明の実施例について図面を用いて説明する。
【００１５】
（実施例１）
図１は本発明の実施例１の無線データ収集システムを示すブロック図である。
【００１６】
図１において、１は無線データ収集システム本体であり、公衆回線網３を介して公衆回線網３に接続されたセンター装置２と無線で接続される無線送信部４ａと無線受信部４ｂを備えた網制御手段４と、網制御手段４に接続され通信データの変調を行う変調部５ａと復調を行う復調部５ｂを備えた通信処理部５と、メータなどの端末と有線または無線で接続するメータインタフェース部７と、メータインタフェース部７からの起動によりセンター装置２とデータ通信動作を行う発呼処理手段６ａ、とセンター装置２からの起動によりセンター装置２とデータ通信動作を行うポーリング処理手段６ｂと、無線受信部４ｂを動作状態にし受信キャリアの有無を検出するキャリアセンス動作の動作指示を行うキャリアセンス指示手段６ｃと、発呼処理手段６ａの動作後から前記キャリアセンス指示手段６ｃの動作時間を決定する第１のタイマー手段６ｄを備えた制御部６とから構成されている。
【００１７】
次に、無線データ収集システム本体１の動作を説明する。図示はしないがガスメータなどから検針などの発呼要求が発生すると、メータインタフェース部７がこれを無線又は有線で受信する。マイクロコンピュータで構成される制御部６の発呼処理手段６ａにはセンターなどの電話番号が予め設定されており、制御部６はこの電話番号に発呼する動作を行う。この発呼に際して網制御手段４の無線受信部４ｂは空中にこれから送信するチャンネルにキャリアが無いかどうかを確認し、キャリアが無ければ無線送信部４ａより所定の手順で公衆回線網３とリンクを行なう。公衆回線網３とリンク後、センター装置２に対して回線接続処理を行い必要な電文を送信することになる。この送信では通信処理部５の変調部５ａや復調部５ｂによりデータを変復調させる。
【００１８】
一方、センター装置２よりガスメータなどの検針を行う場合には、センター装置２が公衆回線網３を介して無線データ収集システム本体１とリンクする必要があるが、この場合無線データ収集システム本体１は常に無線受信部４ｂを数秒間隔での間欠動作や常時動作状態にし、公衆回線網３からのリンクを待機しておく必要がある。キャリアセンス指示手段６ｃは無線受信部４ｂの動作を制御するもので、キャリアセンス指示手段６ｃから動作指示が出ている間無線受信部４ｂは数秒間隔でのキャリアセンスや常時のキャリアセンスを行うように構成されている。そして、無線受信部４ｂにより公衆回線網３とリンクが成立すれば前記と同様に通信処理部５を介してポーリング処理手段６ｂが通信手順の処理を行う。
【００１９】
本実施例では発呼処理手段６ａの動作後一定期間キャリアセンス指示手段６ｃを動作させる時間を決定する第１のタイマー手段６ｄを設けることにより、発呼通信終了後、一定期間センター装置からのポーリング通信が可能となる。
【００２０】
以上のように、常時無線受信部が動作していないため消費電流を大幅に削減でき、コスト低下や、製品の小型化を実現することが可能となる。
【００２１】
（実施例２）
図２は本発明の実施例２の無線データ収集システムを示すブロック図である。
【００２２】
図２において、１は無線データ収集システム本体であり、公衆回線網３を介して公衆回線網３に接続されたセンター装置２と無線で接続される無線送信部４ａと無線受信部４ｂを備えた網制御手段４と、網制御手段４に接続され通信データの変調を行う変調部５ａと復調を行う復調部５ｂを備えた通信処理部５と、メータなどの端末と有線または無線で接続するメータインタフェース部７と、メータインタフェース部７からの起動によりセンター装置２とデータ通信動作を行う緊急発呼処理手段６ｅ、とセンター装置２からの起動によりセンター装置２とデータ通信動作を行うポーリング処理手段６ｂと、無線受信部４ｂを動作状態にし受信キャリアの有無を検出するキャリアセンス動作の動作指示を行うキャリアセンス指示手段６ｃと、発呼処理手段６ａの動作後から前記キャリアセンス指示手段６ｃの動作時間を決定する第２のタイマー手段６ｆを備えた制御部６とから構成されている。
【００２３】
次に、無線データ収集システム本体１の動作を説明する。図示はしないがガスメータなどからガス漏れなどの緊急発呼要求が発生すると、メータインタフェース部７がこれを無線又は有線で受信する。マイクロコンピュータで構成される制御部６の緊急発呼処理手段６ｅにはセンターなどの電話番号が予め設定されており、制御部６はこの電話番号に発呼する動作を行う。この発呼に際して網制御手段４の無線受信部３ｂは空中にこれから送信するチャンネルにキャリアが無いかどうかを確認し、キャリアが無ければ無線送信部４ａより所定の手順で公衆回線網３とリンクを行なう。公衆回線網３とリンク後、センター装置２に対して回線接続処理を行い必要な電文を送信することになる。この送信では通信処理部５の変調部５ａや復調部５ｂによりデータを変復調させる。
【００２４】
一方、センター装置２よりガスメータなどの検針を行う場合には、センター装置２が公衆回線網３を介して無線データ収集システム本体１とリンクする必要があるが、この場合無線データ収集システム本体１は常に無線受信部４ｂを数秒間隔での間欠動作や常時動作状態にし、公衆回線網３からのリンクを待機しておく必要がある。キャリアセンス指示手段６ｃは無線受信部４ｂの動作を制御するもので、キャリアセンス指示手段６ｃから動作指示が出ている間無線受信部４ｂは数秒間隔でのキャリアセンスや常時のキャリアセンスを行うように構成されている。そして、無線受信部４ｂにより公衆回線網３とリンクが成立すれば前記と同様に通信処理部５を介してポーリング処理手段６ｂが通信手順の処理を行う。
【００２５】
本実施例では緊急発呼処理手段６ｅの動作後一定期間キャリアセンス指示手段６ｃを動作させる時間を決定する第１のタイマー手段（６ｄ）より時間の長い第２のタイマー手段（６ｆ）を設けることにより、発呼通信終了後、一定期間センター装置からのポーリング通信が可能となる。
【００２６】
以上のように、常時無線受信部が動作していないため緊急発生後のセンターからの問い合わせが可能となる他、消費電流を大幅に削減でき、コスト低下や、製品の小型化を実現することが可能となる。
【００２７】
（実施例３）
図３は本発明の実施例３の無線データ収集システムを示すブロック図である。
【００２８】
図３において、１は無線データ収集システム本体であり、公衆回線網３を介して公衆回線網３に接続されたセンター装置２と無線で接続される無線送信部４ａと無線受信部４ｂを備えた網制御手段４と、網制御手段４に接続され通信データの変調を行う変調部５ａと復調を行う復調部５ｂを備えた通信処理部５と、メータなどの端末と有線または無線で接続するメータインタフェース部７と、メータインタフェース部７からの起動によりセンター装置２とデータ通信動作を行う発呼処理手段６ａ、とセンター装置２からの起動によりセンター装置２とデータ通信動作を行うポーリング処理手段６ｂと、無線受信部４ｂを動作状態にし受信キャリアの有無を検出するキャリアセンス動作の動作指示を行うキャリアセンス指示手段６ｃと、定期的に前記キャリアセンス指示手段６ｃの動作時間を決定する第３のタイマー手段６ｇを備えた制御部６とから構成されている。
【００２９】
次に、無線データ収集システム本体１の動作を説明する。図示はしないがガスメータなどから検針などの発呼要求が発生すると、メータインタフェース部７がこれを無線又は有線で受信する。マイクロコンピュータで構成される制御部６の発呼処理手段６ａにはセンターなどの電話番号が予め設定されており、制御部６はこの電話番号に発呼する動作を行う。この発呼に際して網制御手段４の無線受信部は空中にこれから送信するチャンネルにキャリアが無いかどうかを確認し、キャリアが無ければ無線送信部４ａより所定の手順で公衆回線網３とリンクを行なう。公衆回線網３とリンク後、センター装置２に対して回線接続処理を行い必要な電文を送信することになる。この送信では通信処理部５の変調部５ａや復調部５ｂによりデータを変復調させる。
【００３０】
一方、センター装置２よりガスメータなどの検針を行う場合には、センター装置２が公衆回線網３を介して無線データ収集システム本体１とリンクする必要があるが、この場合無線データ収集システム本体１は常に無線受信部４ｂを数秒間隔での間欠動作や常時動作状態にし、公衆回線網３からのリンクを待機しておく必要がある。キャリアセンス指示手段６ｃは無線受信部４ｂの動作を制御するもので、キャリアセンス指示手段６ｃから動作指示が出ている間無線受信部４ｂは数秒間隔でのキャリアセンスや常時のキャリアセンスを行うように構成されている。そして、無線受信部４ｂにより公衆回線網３とリンクが成立すれば前記と同様に通信処理部５を介してポーリング処理手段６ｂが通信手順の処理を行う。
【００３１】
本実施例ではキャリアセンス指示手段６ｃを定期的に例えば１日に１時間などで動作させる第３のタイマー手段６ｇを設けることにより、決められた時間にセンターポーリングを可能にすることができる。
【００３２】
以上のように、常時無線受信部を間欠的に動作させるため消費電流を大幅に削減でき、コスト低下や、製品の小型化を実現することが可能となる。
【００３３】
（実施例４）
図４は本発明の実施例４の無線データ収集システムを示すブロック図である。
【００３４】
図４において、１は無線データ収集システム本体であり、公衆回線網３を介して公衆回線網３に接続されたセンター装置２と無線で接続される無線送信部４ａと無線受信部４ｂを備えた網制御手段４と、網制御手段４に接続され通信データの変調を行う変調部５ａと復調を行う復調部５ｂを備えた通信処理部５と、メータなどの端末と有線または無線で接続するメータインタフェース部７と、メータインタフェース部７からの起動によりセンター装置２とデータ通信動作を行う発呼処理手段６ａ、とセンター装置２からの起動によりセンター装置２とデータ通信動作を行うポーリング処理手段６ｂと、無線受信部４ｂを動作状態にし受信キャリアの有無を検出するキャリアセンス動作の動作指示を行うキャリアセンス指示手段６ｃと、無線データ収集システム本体１が設置後動作を開始したことを検出する開始検出手段６ｉと、開始検出手段６ｉの検出後から前記キャリアセンス指示手段６ｃの動作時間を決定する第４のタイマー手段６ｈを備えた制御部６とから構成されている。
【００３５】
次に、無線データ収集システム本体１の動作を説明する。図示はしないがガスメータなどから検針などの発呼要求が発生すると、メータインタフェース部７がこれを無線又は有線で受信する。マイクロコンピュータで構成される制御部６の発呼処理手段６ａにはセンターなどの電話番号が予め設定されており、制御部６はこの電話番号に発呼する動作を行う。この発呼に際して網制御手段４の無線受信部は空中にこれから送信するチャンネルにキャリアが無いかどうかを確認し、キャリアが無ければ無線送信部４ａより所定の手順で公衆回線網３とリンクを行なう。公衆回線網３とリンク後、センター装置２に対して回線接続処理を行い必要な電文を送信することになる。この送信では通信処理部５の変調部５ａや復調部５ｂによりデータを変復調させる。
【００３６】
一方、センター装置２よりガスメータなどの検針を行う場合には、センター装置２が公衆回線網３を介して無線データ収集システム本体１とリンクする必要があるが、この場合無線データ収集システム本体１は常に無線受信部４ｂを数秒間隔での間欠動作や常時動作状態にし、公衆回線網３からのリンクを待機しておく必要がある。キャリアセンス指示手段６ｃは無線受信部４ｂの動作を制御するもので、キャリアセンス指示手段６ｃから動作指示が出ている間無線受信部４ｂは数秒間隔でのキャリアセンスや常時のキャリアセンスを行うように構成されている。そして、無線受信部４ｂにより公衆回線網３とリンクが成立すれば前記と同様に通信処理部５を介してポーリング処理手段６ｂが通信手順の処理を行う。
【００３７】
本実施例では無線データ収集システム本体１が設置され動作が開始したことを開始検出手段６ｉが検出してから、発呼処理手段６ａの動作後一定期間キャリアセンス指示手段６ｃを動作させる時間を決定する第４のタイマー手段６ｈを設けることにより、設置後後、一定期間センター装置からのポーリング通信が可能となる。
【００３８】
以上のように、装置本体設置後センターポーリングが可能となる他、常時無線受信部が動作していないため消費電流を大幅に削減でき、コスト低下や、製品の小型化を実現することが可能となる。
【００３９】
（実施例５）
図５は本発明の実施例５の無線データ収集システムを示すブロック図である。
【００４０】
図５において、１は無線データ収集システム本体であり、公衆回線網３を介して公衆回線網３に接続されたセンター装置２と無線で接続される無線送信部４ａと無線受信部４ｂを備えた網制御手段４と、網制御手段４に接続され通信データの変調を行う変調部５ａと復調を行う復調部５ｂを備えた通信処理部５と、メータなどの端末と有線または無線で接続するメータインタフェース部７と、メータインタフェース部７からの起動によりセンター装置２とデータ通信動作を行う発呼処理手段６ａ、とセンター装置２からの起動によりセンター装置２とデータ通信動作を行うポーリング処理手段６ｂと、無線受信部４ｂを動作状態にし受信キャリアの有無を検出するキャリアセンス動作の動作指示を行うキャリアセンス指示手段６ｃと、発呼処理手段６ａの動作後から前記キャリアセンス指示手段６ｃの動作時間を決定するセンター装置２からの指示で書き換え可能な第５のタイマー手段６ｊを備えた制御部６とから構成されている。
【００４１】
次に無線データ収集システム本体１の動作を説明する。図示はしないがガスメータなどから検針などの発呼要求が発生すると、メータインタフェース部７がこれを無線又は有線で受信する。マイクロコンピュータで構成される制御部６の発呼処理手段６ａにはセンターなどの電話番号が予め設定されており、制御部６はこの電話番号に発呼する動作を行う。この発呼に際して網制御手段４の無線受信部は空中にこれから送信するチャンネルにキャリアが無いかどうかを確認し、キャリアが無ければ無線送信部４ａより所定の手順で公衆回線網３とリンクを行なう。公衆回線網３とリンク後、センター装置２に対して回線接続処理を行い必要な電文を送信することになる。この送信では通信処理部５の変調部５ａや復調部５ｂによりデータを変復調させる。
【００４２】
一方、センター装置２よりガスメータなどの検針を行う場合には、センター装置２が公衆回線網３を介して無線データ収集システム本体１とリンクする必要があるが、この場合無線データ収集システム本体１は常に無線受信部４ｂを数秒間隔での間欠動作や常時動作状態にし、公衆回線網３からのリンクを待機しておく必要がある。キャリアセンス指示手段６ｃは無線受信部４ｂの動作を制御するもので、キャリアセンス指示手段６ｃから動作指示が出ている間無線受信部４ｂは数秒間隔でのキャリアセンスや常時のキャリアセンスを行うように構成されている。そして、無線受信部４ｂにより公衆回線網３とリンクが成立すれば前記と同様に通信処理部５を介してポーリング処理手段６ｂが通信手順の処理を行う。
【００４３】
本実施例ではキャリアセンス指示手段６ｃを動作させる時間を決定する第５のタイマー手段６ｊを設けることにより、センター装置と通信時に状況に応じてタイマーの時間を変更できるためシステムに柔軟性を持たすことが可能である。
【００４４】
以上のように、センターよりセンターポーリングが可能な時間を柔軟に変更できる他、常時無線受信部が動作していないため消費電流を大幅に削減でき、コスト低下や、製品の小型化を実現することが可能となる。
【００４５】
（実施例６）
図６は本発明の実施例６の無線データＴ収集システムを示すブロック図である。
【００４６】
図６において、１は無線データ収集システム本体であり、公衆回線網３を介して公衆回線網３に接続されたセンター装置２と無線で接続される無線送信部４ａと無線受信部４ｂを備えた網制御手段４と、網制御手段４に接続され通信データの変調を行う変調部５ａと復調を行う復調部５ｂを備えた通信処理部５と、メータなどの端末と有線または無線で接続するメータインタフェース部７と、メータインタフェース部７からの起動によりセンター装置２とデータ通信動作を行う発呼処理手段６ａ、とセンター装置２からの起動によりセンター装置２とデータ通信動作を行うポーリング処理手段６ｂと、無線受信部４ｂを動作状態にし受信キャリアの有無を検出するキャリアセンス動作の動作指示を行うキャリアセンス指示手段６ｃと、発呼処理手段６ａの動作後から前記キャリアセンス指示手段６ｃの動作時間を決定するメータインタフェース手段７に接続された図示はしないが設定器などからの指示で書き換え可能な第６のタイマー手段６ｋを備えた制御部６とから構成されている。
【００４７】
次に無線データ収集システム本体１の動作を説明する。図示はしないがガスメータなどから検針などの発呼要求が発生すると、メータインタフェース部７がこれを無線又は有線で受信する。マイクロコンピュータで構成される制御部６の発呼処理手段６ａにはセンターなどの電話番号が予め設定されており、制御部６はこの電話番号に発呼する動作を行う。この発呼に際して網制御手段４の無線受信部は空中にこれから送信するチャンネルにキャリアが無いかどうかを確認し、キャリアが無ければ無線送信部４ａより所定の手順で公衆回線網３とリンクを行なう。公衆回線網３とリンク後、センター装置２に対して回線接続処理を行い必要な電文を送信することになる。この送信では通信処理部５の変調部５ａや復調部５ｂによりデータを変復調させる。
【００４８】
一方、センター装置２よりガスメータなどの検針を行う場合には、センター装置２が公衆回線網３を介して無線データ収集システム本体１とリンクする必要があるが、この場合無線データ収集システム本体１は常に無線受信部４ｂを数秒間隔での間欠動作や常時動作状態にし、公衆回線網３からのリンクを待機しておく必要がある。キャリアセンス指示手段６ｃは無線受信部４ｂの動作を制御するもので、キャリアセンス指示手段６ｃから動作指示が出ている間無線受信部４ｂは数秒間隔でのキャリアセンスや常時のキャリアセンスを行うように構成されている。そして、無線受信部４ｂにより公衆回線網３とリンクが成立すれば前記と同様に通信処理部５を介してポーリング処理手段６ｂが通信手順の処理を行う。
【００４９】
本実施例ではキャリアセンス指示手段６ｃを動作させる時間を決定する第６のタイマー手段６ｋを設けることにより、メータインタフェース部７に接続された設定機により状況に応じてタイマーの時間を変更できるためシステムに柔軟性を持たすことが可能である。
【００５０】
以上のように、設定器によりセンターポーリングが可能な時間を柔軟に変更できる他、常時無線受信部が動作していないため消費電流を大幅に削減でき、コスト低下や、製品の小型化を実現することが可能となる。
【図面の簡単な説明】
【００５１】
【図１】本発明の第１の実施例における端末網制御装置の要部ブロック図
【図２】本発明の第２の実施例における端末網制御装置の要部ブロック図
【図３】本発明の第３の実施例における端末網制御装置の要部ブロック図
【図４】本発明の第４の実施例における端末網制御装置の要部ブロック図
【図５】本発明の第３の実施例における端末網制御装置の要部ブロック図
【図６】本発明の第４の実施例における端末網制御装置の要部ブロック図
【図７】従来の端末網制御装置の要部ブロック図
【符号の説明】
【００５２】
１  無線データ収集システム本体
２  センター装置
３  公衆回線網
４  網制御手段
４ａ  無線送信部
４ｂ  無線受信部
５  通信処理部
５ａ  変調部
５ｂ  復調部
６  制御部
６ａ  発呼処理手段
６ｂ  ポーリング処理手段
６ｃ  キャリアセンス指示手段
６ｄ  第１のタイマー手段
６ｅ  緊急発呼処理手段
６ｆ  第２のタイマー手段
６ｇ  第３のタイマー手段
６ｈ  第４のタイマー手段
６ｊ  第５のタイマー手段
６ｋ  第６のタイマー手段
７  メータインタフェース部
【図１】
2005079808.tif 000003
【図２】
2005079808.tif 000004
【図３】
2005079808.tif 000005
【図４】
2005079808.tif 000006
【図５】
2005079808.tif 000007
【図６】
2005079808.tif 000008
【図７】
2005079808.tif 000009